【手続補正書】
【提出日】平成20年6月23日(2008.6.23)
【手続補正１】
【補正対象書類名】明細書
【補正対象項目名】００２８
【補正方法】変更
【補正の内容】
【００２８】
図２は、本発明に係るカセット式媒体収納容器２５を有するホッパーの実施の形態を示す模式的な透視断面図である。ホッパー２０は、カセット式媒体収納容器２５と媒体送り出し機構２２とより構成され、その媒体送り出し機構２２は媒体繰り出し部２１を有している。
【手続補正２】
【補正対象書類名】明細書
【補正対象項目名】００２９
【補正方法】変更
【補正の内容】
【００２９】
本発明に係る媒体収納容器２５は、カード状記録媒体２を積層して収納する媒体収納部２５０と、その媒体収容部２５０の側面の一部をなす第１の基準板２３１と、媒体収容部２５０の底面をなす第２の基準板２３２と、第１の基準板２３１と第２の基準板２３２との間に設けられるとともに、最低位の媒体２ａを通過させる隙間を備えるゲート部２３と、第１の基準板２３１と平行して設けられ、カセット式媒体収納容器２５を媒体繰り出し機構から脱着したときに隙間を塞ぐシャッタ２４と、を有し、積層された前記媒体２のうち最低位の媒体２ａを繰り出す媒体繰り出し機構の上に配置されるカセット式媒体収納容器２５であって、第１の基準板２３１は、シャッタ２４の先端部であるシャッタ先端２４７の進出を許容する切込部２６６を有し、切込部２６６に進出するシャッタ先端２４７は、第１の基準板２３１の媒体収納部側の面と略面一となるように、湾曲又は屈曲している。
【手続補正３】
【補正対象書類名】明細書
【補正対象項目名】００６１
【補正方法】変更
【補正の内容】
【００６１】
クリーニング媒体保持部１１０は、第２の媒体回動部６０との間でクリーニング媒体１１４を接受する搬送路１１１と、クリーニング媒体１１４を搬送する対向ローラ１１２が設けられている。対向ローラ１１２は、後述するＢ駆動モータ１５０により駆動される。その駆動力伝達は、対向ローラ１１２の一方のローラに設けた電磁クラッチ１１３により駆動切断及び接続がなされる。搬送路１１１の両端にはセンサＳ（１１５），Ｓ（１１６）が設けられており、クリーニング媒体１１４の保持及び送り出しの状況が検知及び制御される。こうしたクリーニング媒体保持部１１０が収容するクリーニング媒体１１４により、印字装置７０の印字ヘッド７１や消去ヘッド７２を定期的又は任意のタイミングでクリーニングすることができる。
【手続補正４】
【補正対象書類名】明細書
【補正対象項目名】００７５
【補正方法】変更
【補正の内容】
【００７５】
なお、シャッタ２４が上方向にスライドした場合、切込部２６６の大きさにもよるが、シャッタ先端２４７はそのままの形態で上方向にスライドしてもよいし、傾斜部２４８が第１の基準板２３１の当接部２３４に当たって、シャッタ２４の下端側が手前に若干シフトする。
【手続補正５】
【補正対象書類名】明細書
【補正対象項目名】００８３
【補正方法】変更
【補正の内容】
【００８３】
この取っ手２５５は、蓋部材２５３に対して起こした際に、蓋部材２５３に対して所定の位置（図示では直角となっている）で固定され、その位置を超えて回らないようにするストッパー２６３が、図８（Ｂ）に示すように設けられていることが好ましい。そのストッパー２６３は、蓋部材２５３の側板２６０，２６０から突出するように設けられている。そして、そのストッパー２６３に、取っ手２５５を構成する側板２６２，２６２に設けられた当接部２６５，２６５が当たることによって、取っ手２５５がその位置を超えて回らないようになっている。なお、符号２６３ａは、取っ手２５５を倒したときに側板２６２，２６２がストッパー２６３，２６３に当たらないようにした凹みである。
【手続補正６】
【補正対象書類名】明細書
【補正対象項目名】００９３
【補正方法】変更
【補正の内容】
【００９３】
次に、プーリ１４１にかけられたベルト１４４により第１の媒体回動部８０の搬送駆動プーリ１４５に伝達されたＡ駆動モータ１４０の駆動力は、第１の媒体回動部８０における媒体２の搬送を行なう。即ち、搬送駆動プーリ１４５の回転は、ギア１４６を介して対向ローラ８２を回転させ、さらにその対向ローラ８２は、ベルトとプーリを介して他の対向ローラ８３を回転させる。このように第１の媒体回動部８０は、Ａ駆動モータ１４０の駆動力によって、第１の媒体回動部８０の対向ローラ８２，８３を駆動して、媒体２を第１の媒体回動部８０内に保持したり、印字装置７０、非接触通信部１００及び廃棄媒体保管部５０との間で媒体の搬送等を行なう。
【手続補正７】
【補正対象書類名】明細書
【補正対象項目名】０１０４
【補正方法】変更
【補正の内容】
【０１０４】
このとき、廃棄媒体搬送部９０に搬送された廃棄媒体は、そこで保持されずに廃棄媒体保管部５０に投入されてもよいが、好ましくは新規の媒体を発行するまで、すなわち新規媒体がホッパー２０から発行され、印字装置７０で印字され、非接触通信部１００で情報通信が完了したのを確認するまで保持される一時保留部として動作させることが好ましい。そして、新規媒体への情報通信が完了したのを確認し、新規媒体２が発行されてから、廃棄媒体を、一時保留部としての廃棄媒体搬送部９０から廃棄媒体保管部５０に投入することが好ましい。こうした方式をとることにより、新規媒体２を更新発行する場合に、情報書き込み等を確実に行ったのを確認した後に今までの非接触ＩＣカードを廃棄することができ、その結果、非接触ＩＣカードの更新発行においても、迅速且つ確実な処理を行なうことができる。
【手続補正８】
【補正対象書類名】明細書
【補正対象項目名】０１０７
【補正方法】変更
【補正の内容】
【０１０７】
１  媒体発行装置
２，２ａ  媒体
１０  媒体排出口
１１  シャッタ
１２  シャッタ用ソレノイド
１３  シャッタ機構
２０  ホッパー
２１  媒体繰り出し部
２２  媒体送り出し機構
２２１  押出部材
２２２  チェーン
２２３  スプロケット
２２４  駆動手段
２２５  伝動ベルト
２２６  爪部
２３  ゲート部
２３１  第１の基準板
２３２  第２の基準板
２３３  底面
２４  シャッタ
２４１  上下動突起
２４２，２４３  スライド用長穴
２４４  開口部
２４５  バネ掛け突起
２４６  ガイド部材
２４７  シャッタ先端
２４８  傾斜部
２４９  鉛直部
２５  カセット式媒体収納容器
２５０  媒体収納部
２５１  本体部
２５２  底部
２５３  蓋部材
２５４  開口部
２５５  取っ手
２５６  ロック機構
２５７  カバー部材
２５８  ネジ部材
２５９  前面板
２６  おもり
２６０  側板
２６１，２６２  ピン部材
２６３  ストッパー
２６４  バネ掛け突起
２６５  基準板先端
２６６  切込部
２６７  バネ部材
２６８  受け面部
２６９  取っ手部
２７  最上位部
２７１  ロック板
２７２  ロック板の先端部
２７３  ネジ部材
２７４  スリット
２７５  回転部
２７６  スリット
２８１  板バネ
２８２，２８３  矩形穴
２８４  鋼球
２８５  ピン部材
２９１，２９２  板部材
２９３  受け皿
２９４  チェーン止め
２９５  チェーン
２９８  凹部
２９９  縁部
３０  傾斜搬送路
３１，３２，３３  対向ローラ
３４  プラテンローラ
５０  廃棄媒体保管部（リジェクトカセット）
５１  底面
５２  センサ
６０  第２の媒体回動部
６１  搬送路
６２，６３  対向ローラ
６４  回動軸
６５  回動軸用モータ
７０  印字装置
７１  印字ヘッド
７２  消去ヘッド
７３  消去ヘッド駆動モータ
７４  印字ヘッド駆動モータ
８０  第１の媒体回動部
８１  搬送路
８２，８３  対向ローラ
８４  回動軸
８５  回動軸用モータ
８６  ベルト
９０  廃棄媒体搬送部
９１  搬送路
９２  対向ローラ
９３  徐電ブラシ
９４  電磁クラッチ
９５  レバー部材（センサ）
９６  センサ
１００  非接触通信部
１０１  搬送路
１０２，１０３  対向ローラ
１０４  アンテナ部
１０５  センサ
１１０  クリーニング媒体保持部
１１１  搬送路
１１２  対向ローラ
１１３  電磁クラッチ
１１４  クリーニング媒体
１１５，１１６  センサ
１２０  磁気媒体リーダライタ
１２１  搬送路
１２２  磁気ヘッド
１２３  対向ローラ
１２４  電磁クラッチ
１３０  電源部
１４０  Ａ駆動モータ
１４１  プーリ
１４２  ギア
１４３，１４４  ベルト
１４５  搬送駆動プーリ
１４６  ギア
１５０  Ｂ駆動モータ
１５１，１５２，１５４  プーリ
１５３，１５６  ベルト
１５５  搬送駆動プーリ
１５７  ギア
【手続補正９】
【補正対象書類名】図面
【補正対象項目名】図１
【補正方法】変更
【補正の内容】
【図１】
2007269485.tif 000001
【手続補正１０】
【補正対象書類名】図面
【補正対象項目名】図４
【補正方法】変更
【補正の内容】
【図４】
2007269485.tif 000002
【手続補正１１】
【補正対象書類名】図面
【補正対象項目名】図８
【補正方法】変更
【補正の内容】
【図８】
2007269485.tif 000003
【手続補正１２】
【補正対象書類名】図面
【補正対象項目名】図１０
【補正方法】変更
【補正の内容】
【図１０】
2007269485.tif 000004